(57)【要約】【課題】括れ部の押し潰しを簡単に繰り返すことができるようにしながら、ラベルを適切に取り付けておくことができる領域や減圧吸収変形用パネル部を形成する領域を確保し、ソースなどの粘性の高い液体調味料を充填する加熱充填に対応した耐熱性を備えたスクイズボトルを利用して、括れ部の押し潰しを繰り返して液体調味料を少量ずつ注出できる取り扱いの良好な容器を提供する。【解決手段】括れ部６に偶数箇所にして突条１４を配置して、この括れ部６は、括れ部６をボトル外方から押し潰すときに、一組の突条１４、１４それぞれが、胴部径方向の外方に向けて折り出される変形をし、折り出される一方の突条１４ともう一方の突条１４との間の胴部周りに位置して前記一組の突条１４、１４を通る位置の胴部径方向に沿う直線を間にして対向する括れ部６の胴部壁１３、１３それぞれが、直線を間にして互いに近接する変形をする構成とした。【選択図】図４
2020142817.tif 000002
【特許請求の範囲】
【請求項１】
口部と肩部と略円筒状の胴部と底部とを有する合成樹脂製のスクイズボトルであって、前記胴部に胴部周りにして括れ部が設けられているとともに、この括れ部と底部との間の胴部が、ラベルを配置するための下胴部とされているスクイズボトルにおいて、
前記括れ部は、胴部径を最小にした最深壁部と、この最深壁部からボトル上方に向けて胴部径を拡径して肩部下端側に至る上拡径壁部と、前記最深壁部からボトル下方に向けて胴部径を拡径して下胴部の上端側に至る下拡径壁部とからなり、
前記括れ部には、上拡径壁部と下拡径壁部との間に亘って縦リブの形状にして胴部壁を外方に向けて突出させてなる突条を一体に形成して、この突条が、括れ部での胴部周り方向に等間隔にして偶数箇所に配置され、隣り合う突条の間に上拡径壁部と最深壁部と下拡径壁部とからなる指当て凹部が形成されており、
前記突条それぞれは、隣接する前記指当て凹部の胴部壁がボトル内外方向に撓み変形するのを抑止し、突条の稜線部を通る位置での胴部壁の折れによって胴部径方向の外方に折り出るように折曲可能に設けられていて、
前記括れ部は、
ボトル中心を間にして対向する一組の突条を通る位置の胴部径方向に対して直交する方向に括れ部をボトル外方から挟み込みして押し潰す力が加えられたときに、前記一組の突条それぞれが、胴部径方向の外方に向けて折り出される変形をし、前記折り出される一方の突条ともう一方の突条との間の胴部周りに位置して前記一組の突条を通る位置の胴部径方向に沿う直線を間にして対向する括れ部の胴部壁それぞれが、前記直線を間にして互いに近接する変形をする構成とされていることを特徴とするスクイズボトル。
【請求項２】
上記突条と上記指当て凹部とが括れ部の胴部周りに交互にして配置されていて、ボトル中心を間にして指当て凹部の胴部径方向での反対側に指当て凹部が配置されている請求項１に記載のスクイズボトル。
【請求項３】
ボトル中心を間にして対向する一組の突条を通る位置の胴部径方向に対して直交する方向で、二つの上記指当て凹部がボトル中心を間にして対向して配置されている請求項１または２に記載のスクイズボトル。
【請求項４】
上記突条は、括れ部での胴部周り方向に等間隔にして六箇所に配置されている請求項３に記載のスクイズボトル。
【請求項５】
上記下胴部に、収容物が冷却したときに凹陥変形してボトル内の減圧を軽減するための減圧吸収変形用パネル部が、胴部周り方向に等間隔にして偶数箇所に配置され、胴部周り方向で隣り合う前記減圧吸収変形用パネル部の間に縦長の柱形状部が形成されており、上記突条と前記縦長の柱形状部とがボトル上下方向で位置揃えされている請求項１から４の何れか一項に記載のスクイズボトル。
【請求項６】
上記底部に、収容物が冷却したときに凹陥変形してボトル内の減圧を軽減する凹部が配置されている請求項１から５の何れか一項に記載のスクイズボトル。
【発明の詳細な説明】
【技術分野】
【０００１】
本発明は、液体調味料などの粘性の高い液体を収容し、胴部を繰り返して押し潰すスクイズ操作を行なって収容物の液体を少量ずつ注出する用途に用いられるスクイズボトルに関するものである。
【背景技術】
【０００２】
従来から液体調味料などの液体を容器に充填する場合、加熱殺菌されて常温より高い温度となった状態で充填を行なうようにしている。そして、液体調味料などの液体を充填する手持ちできるサイズの合成樹脂製のボトルとしては、耐熱性を有している必要があって、高い温度の液体が接しても収縮しないようにヒートセット加工を施して耐熱性を高めた耐熱性ボトルが用いられる。
【０００３】
また、とんかつソースなどの粘性の高い収容物を入れた容器では、その収容物の注出時の液切れを良好にするために、合成樹脂製のボトルの口部にノズルを有したキャップを取り付けるとともに、ボトルの胴部を繰り返して押し潰すスクイズ操作を行なって、収容物を少量ずつ注出できるようにしている。
【０００４】
このように粘性の高い液体を収容する用途に、注出に際して胴部を押し潰す力を繰り返して加えることでその胴部が復元可能に変形する合成樹脂製のボトルが用いられている。そして、粘性の高い液体調味料を加熱して充填するボトルとして、上記耐熱性ボトルの採用が考えられるが、従来の耐熱性ボトルでは胴部形状が単純な円筒状であるために、また、耐熱性を付与するための加工が施されているために、胴部が硬くなっており、内容物の注出に際して、程良い力では繰り返しの押し潰しが行なえないという不具合が生じる。
【０００５】
特許文献１では、口部と肩部と胴部と底部とを有するようにブロー成形された合成樹脂製のスクイズボトルであって、胴部に括れ部を有し、括れ部のボトル上下方向の長さをその括れ部の最深胴部の胴部径より長くすることで、括れ部で生じる抗力が、押し潰していく途中で急増するようにしており、押し潰しの繰り返しを再現させ易くして、括れ部の部分に対する繰り返しの押し潰しで、取り付けられたキャップのノズルから少量ずつの注出を行なうスクイズボトルの提案が示されている。
【０００６】
上記特許文献１では、ボトルの胴部にその胴部周りに括れ部を設けて胴部の押し潰しが行なえるようにした工夫が示されていることから、ソースなどの粘性の高い液体調味料を加熱充填する耐熱性ボトルに対し、特許文献１で示されているように括れ部を胴部に設ける工夫を採用することで、胴部に対する繰り返しの押し潰し操作で粘性の高い液体調味料を少量ずつ注出できる容器が得られると考えられる。
【先行技術文献】
【特許文献】
【０００７】
【特許文献１】特開２０１６−１５０７７０号公報
【発明の概要】
【発明が解決しようとする課題】
【０００８】
上述したように耐熱性ボトルの胴部に括れ部を設けることで、胴部に対する繰り返しの押し潰しが行なえるスクイズボトルが得られると考えられるが、しかしながら、特許文献１に示されているように括れ部の上下方向の長さを長くしなければならないという不具合がある。
【０００９】
即ち、ソースを含む一般的な液体調味料を収容したボトルタイプの商品では、ラベルとして印刷などにて商品名、原材料の表示、使用方法などの各種の情報を印刷したシュリンクフィルムをボトルの胴部周りに胴巻きにして取り付けるようにしている。そして、このような商品に用いるボトルの胴部に上下方向に長い括れ部を設けるようにしてしまうと、シュリンクフィルムを巻き付ける部分で胴部径が大きく変化したボトル形状となり、胴巻きしたシュリンクフィルムが胴部径の小さい部分でタブ付いてしまい、商品の外観を大きく損ねてしまうことになる。この点は、ラベルをシュリンクフィルムにする場合だけでなく、紙製のものとしても同様の不具合がある。
【００１０】
また、収容物が液体調味料の場合に限られるものではないが、加熱充填に対応した耐熱性ボトルでは、収容物を充填してボトルの口部を蓋付きのキャップで封じた後、収容物の温度が下がってボトル内が減圧されて大気圧に対して負圧状態に転じ易いため、その減圧による凹陥変形をして減圧を軽減する減圧吸収変形用パネル部を、胴部周りの複数個所に設けて、ボトル全体の変形を抑えるようにしている。
【００１１】
しかし、粘性の高い液体調味料を収容する耐熱性のあるボトルにおいて、上記特許文献１で示された上下方向に長さの長い括れ部を胴部に設けた構造とし、収容されている液体調味料を少量ずつ注出する際に胴部の括れ部を繰り返し押し潰す操作を行なうタイプのボトルを得ようとすると、上記減圧吸収変形用パネル部を設ける領域と括れ部での胴部径が徐々に変化する領域とが重なってしまい、減圧吸収変形用パネル部を設ける領域を十分には確保できないという不具合が生じる。
【００１２】
そこで本発明は上記事情に鑑み、ボトルの胴部にその胴部周りにして括れ部を設けて、その括れ部の押し潰しを簡単に繰り返すことができるようにしながらも、ラベルを適切に取り付けておくことができる領域や減圧吸収変形用パネル部を形成する領域を確保することを課題とし、ソースなどの粘性の高い液体調味料を充填する加熱充填に対応した耐熱性を備えたスクイズボトルを利用して、括れ部の押し潰しを繰り返して液体調味料を少量ずつ注出できる取り扱いの良好な容器を提供することを目的とする。
【課題を解決するための手段】
【００１３】
（請求項１の発明）
本発明は上記課題を考慮してなされたもので、口部と肩部と略円筒状の胴部と底部とを有する合成樹脂製のスクイズボトルであって、前記胴部に胴部周りにして括れ部が設けられているとともに、この括れ部と底部との間の胴部が、ラベルを配置するための下胴部とされているスクイズボトルにおいて、
前記括れ部は、胴部径を最小にした最深壁部と、この最深壁部からボトル上方に向けて胴部径を拡径して肩部下端側に至る上拡径壁部と、前記最深壁部からボトル下方に向けて胴部径を拡径して下胴部の上端側に至る下拡径壁部とからなり、
前記括れ部には、上拡径壁部と下拡径壁部との間に亘って縦リブの形状にして胴部壁を外方に向けて突出させてなる突条を一体に形成して、この突条が、括れ部での胴部周り方向に等間隔にして偶数箇所に配置され、隣り合う突条の間に上拡径壁部と最深壁部と下拡径壁部とからなる指当て凹部が形成されており、
前記突条それぞれは、隣接する前記指当て凹部の胴部壁がボトル内外方向に撓み変形するのを抑止し、突条の稜線部を通る位置での胴部壁の折れによって胴部径方向の外方に折り出るように折曲可能に設けられていて、
前記括れ部は、
ボトル中心を間にして対向する一組の突条を通る位置の胴部径方向に対して直交する方向に括れ部をボトル外方から挟み込みして押し潰す力が加えられたときに、前記一組の突条それぞれが、胴部径方向の外方に向けて折り出される変形をし、前記折り出される一方の突条ともう一方の突条との間の胴部周りに位置して前記一組の突条を通る位置の胴部径方向に沿う直線を間にして対向する括れ部の胴部壁それぞれが、前記直線を間にして互いに近接する変形をする構成とされていることを特徴とするスクイズボトルを提供して、上記課題を解消するものである。
【００１４】
（請求項２の発明）
そして、本発明において、上記突条と上記指当て凹部とが括れ部の胴部周りに交互にして配置されていて、ボトル中心を間にして指当て凹部の胴部径方向での反対側に指当て凹部が配置されていることが良好である。
【００１５】
（請求項３の発明）
また、本発明において、ボトル中心を間にして対向する一組の突条を通る位置の胴部径方向に対して直交する方向で、二つの上記指当て凹部がボトル中心を間にして対向して配置されていることが良好である。
【００１６】
（請求項４の発明）
また、本発明において、上記突条は、括れ部での胴部周り方向に等間隔にして六箇所に配置されていることが良好である。
【００１７】
（請求項５の発明）
また、本発明において、上記下胴部に、収容物が冷却したときに凹陥変形してボトル内の減圧を軽減するための減圧吸収変形用パネル部が、胴部周り方向に等間隔にして偶数箇所に配置され、胴部周り方向で隣り合う前記減圧吸収変形用パネル部の間に縦長の柱形状部が形成されており、上記突条と前記縦長の柱形状部とがボトル上下方向で位置揃えされていることが良好である。
【００１８】
（請求項６の発明）
また、本発明において、上記底部に、収容物が冷却したときに凹陥変形してボトル内の減圧を軽減する凹部が配置されていることが良好である。
【発明の効果】
【００１９】
（請求項１の発明の効果）
請求項１の本発明によれば、上述したように胴部の括れ部に縦リブの形状にして一体にして形成されている上記突条が、胴部周り方向に等間隔にして偶数箇所に配置され、この隣り合う突条の間に上記指当て凹部が形成されている。
【００２０】
そして、突条それぞれを等間隔にして偶数箇所に、また指当て凹部それぞれを等間隔にして偶数箇所に配した括れ部は、ボトル中心を間にして対向する一組の突条を通る位置の胴部径方向に対して直交する方向に、その括れ部をボトル外方から挟み込みして押し潰すように外力を加えたときに、前記一組の突条が、互いに離間するように胴部径方向外方に向けて折り出る変形をするとともに、前記一組の突条の内の一方の突条からもう一方の突条までの間に胴部周り方向にして亘る括れ部の胴部壁それぞれが互いに近接する変形をするものとしている。
【００２１】
このように括れ部を突条の位置から外方に折り出し易くしていることとなり、スクイズボトルが耐熱性ボトルとされて硬く強度のあるボトルであっても、収容物を少量で注出するときの押し潰し操作に大きな力を要しないものとなる。
【００２２】
さらに、突条の位置での折れを切っ掛けにして括れ部の胴部壁がスムーズに外方に折り出されるようになり、括れ部を上下方向に長くしなくとも、括れ部に対する押し潰しが行なえる。よって、下胴部の上下方向での長さを長くしてシュリンクフィルムや紙材などからなるラベルを配置する領域や減圧吸収変形用パネル部を配置するための領域などが確保し易くなるという効果を奏する。
【００２３】
（請求項２の発明の効果）
請求項２の発明によれば、指先を指当て凹部に当て易くなって括れ部を押し潰すときにズレを生じさせずに適切に押し潰す力を加えることができる。特に、このスクイズボトルを用いた収容物充填済みの容器において、収容物を少量ずつ繰り返して注出させる用途に使用する場合、指当て凹部に当てた指で繰り返しの押し潰し操作をすることになるが、その繰り返し操作を行なっても指先の位置にズレを生じさせないという効果を奏する。
【００２４】
（請求項３の発明の効果）
請求項３の発明によれば、ボトル中心を間にして対向する一組の突条を通る位置の胴部径方向に対して直交する方向で、二つの上記指当て凹部がボトル中心を間にして対向して配置されているので、ボトル中心を間にして胴部径方向に対向配置されている二つの指当て凹部それぞれに指先を当てるだけで、折り出される突条が定まるようになる。
【００２５】
一方、仮にボトル中心を間にして対向する二つの突条の位置それぞれに指先を当てて押し潰すように力を加えた場合、前記突条それぞれが、ボトル外方から押し潰す力で胴部壁がボトル中心側に向けて撓み込むことのないように、突条自体の胴部壁や突条間の胴部壁に抗力を生じさせる働きをするようになる。
【００２６】
そのため、上述したようにボトル中心を間にして対向する二つの指当て凹部それぞれに指先を当てて押し潰しの力を加えるという簡単な操作で、括れ部が押し潰される変形を生じさせることができるという効果を奏する。
【００２７】
（請求項４の発明の効果）
請求項４の発明によれば、上記突条は、括れ部での胴部周り方向に等間隔にして六箇所に配置されているので、括れ部を押し潰す操作をするときに指先を指当て凹部に当てると、常にその指当て凹部の両側に、ボトル外方への折り出しをしない突条が位置していることとなり、押し潰しの力が加えられる側の胴部壁がボトル内方に向けて撓み込みする変形が、より確実に抑え込まれるようになる。
【００２８】
そのため、括れ部に押し潰しの力を加えた際、折り出される一方の突条ともう一方の突条との間の胴部周りに位置する胴部壁、即ち、上記押し潰しの力が加えられる側の胴部壁が、互いにほとんど変形を伴なわずに近付くようになり、括れ部の変形の限度に差し掛かるときに抗力の増し方に変化が生じる。そして、その抗力の増し方の変化が指先に簡単に感じ取られるため（押し込みの限界が指先で感じられるため）、押し潰しの操作を繰り返し易くなるという効果を奏する。
【００２９】
（請求項５の発明の効果）
請求項５の発明によれば、下胴部に複数の減圧吸収変形用パネル部が配置され、隣り合う減圧吸収変形用パネル部の間の柱形状部が、上記突条とボトルの上下方向で位置揃えされた配置としているので、突条と前記柱形状部とがボトルの上下に位置揃えされている部分それぞれで、外部からボトル内方に向けての圧力に抗する強度が高まるようになる。
【００３０】
そのため、ボトルの口部が封じられた状態での容器に充填されている収容物が冷えて、ボトルの内圧が減圧されて大気圧に対して負圧状態となっても、前記減圧吸収変形用パネル部の凹陥変形を適切に生じさせて過度な負圧状態にならないようにすることができる。よって、突条の位置それぞれの位置での不適切な折り出しを防止できるという効果を奏する。
【００３１】
（請求項６の発明の効果）
充填する収容物によっては上述したように加熱充填を行なう場合がある。そして、収容物を高温度で充填してから口部をキャップで封じた際に、また封じた後にボトル内圧が上昇し、そのボトル内圧で底部がボトル外方に突出した形状変形を生じることがあり、底部がボトル外方に向けて突出するような形状変形を生じないようにするために、スクイズボトルの底部に、ボトル上方に向けて凸となる補強用の凹部を設けるようにすることが有用である。
【００３２】
また一方、上記減圧吸収変形用パネル部での効果について説明したように、ボトルの口部が封じられた状態での容器に充填されている収容物が冷えて、ボトルの内圧が減圧されて大気圧に対して負圧状態となり、胴部や底部に不適切な変形が発生する可能性がある。
【００３３】
そこで、請求項６の発明によれば、底部に、収容物が冷却したときに凹陥変形してボトル内の減圧を軽減する凹部が配置されているので、容器に充填されている収容物が冷えて、ボトルの内圧が減圧されて大気圧に対して負圧状態となっても、この底部でボトル内に向けて凸となる形状とされている凹部がさらに凹陥変形してボトル内が過度な負圧状態にならないようにして不適切な変形を防止することができるとともに、底部外周側の接地箇所に変形を生じさせないようにして、正置状態を常時確保できるボトルが得られる。
【００３４】
そして、ボトルの下胴部に上記減圧吸収変形用パネル部が配置されているものにあっては、その減圧吸収変形用パネル部と底部の凹部とがともに凹陥変形して収容物の冷却によるボトル内の減圧を軽減し、ボトル内が過度の負圧状態にならないようにすることもできる。
【図面の簡単な説明】
【００３５】
【図１】本発明の第一の例を指当て凹部が前面となる側方から見た状態で示す説明図である。
【図２】第一の例を突条が前面となる側方から見た状態で示す説明図である。
【図３】第一の例での括れ部の最深壁部の位置の断面の形状を示す説明図である。
【図４】第一の例での括れ部に押し潰しの力を加えたときの括れ部の変形を最深壁部の位置の断面で示す説明図である。
【図５】第二の例として突条が八箇所に配置されている括れ部の最深壁部の位置の断面の形状を示す説明図である。
【図６】第三の例として突条が十箇所に配置されている括れ部の最深壁部の位置の断面の形状を示す説明図である。
【図７】第四の例を指当て凹部が前面となる側方から見た状態で示す説明図である。
【図８】第四の例での括れ部の最深壁部の位置の断面の形状を示す説明図である。
【図９】１０００ｍｌのスクイズボトルの押し潰し圧力と注出量の関係をグラフで示す説明図である。
【図１０】３３０ｍｌのスクイズボトルの押し潰し圧力と注出量の関係をグラフで示す説明図である。
【発明を実施するための形態】
【００３６】
つぎに本発明を図示の実施の形態に基づいて詳細に説明する。図中１は合成樹脂製のスクイズボトルであり、粘性の高い液体調味料、例えば濃厚ソースなどの液体調味料を加熱殺菌充填するホットパックに対応できるようにヒートセットなどの加工を施して耐熱性を備えているものである。
【００３７】
そして、このスクイズボトル１は、収容物が充填されてノズルキャップが取り付けられた商品形態時に、所要部分（後述の括れ部）を押し潰す操作を繰り返すことによって、前記ノズルキャップのノズル部分から少量ずつにして収容物が注出できる用途に適応したボトルである。
【００３８】
（ボトル形状の概略）
スクイズボトル１はブロー成形されたボトルであって、図示しないノズルキャップを被せ付けてそのノズルキャップと係合する顎を外周周りに有する口部２と、前記口部２の下端に連続してボトル下方に向けてドーム状に拡径する形状とした肩部３と、前記肩部３の下端に連続して略円筒状にした胴部４と、この胴部４の下端に連続して胴部４の下面を閉じている底部５とを一体にして有している。（図１、図２参照）
【００３９】
（胴部）
胴部４には上記肩部３側での胴部周りにして括れ部６が設けられている。さらに括れ部６と上記底部５との間となる胴部４を、図示しないシュリンクフィルムを胴巻き状に配置するための下胴部７としている。
【００４０】
シュリンクフィルムについては、このスクイズボトル１を用いて収容物を充填し、ノズルキャップにて封じた商品に対する商品名や絵柄、収容物の原料名などの情報が印刷されるラベルとして用いるものであり、未収縮のスリーブ状態にして前記下胴部７の胴部周りに被せ付け、その後に所定の温度にて加熱することで熱収縮して下胴部７の外面を覆うように緊締状態で配置されるフィルムである。
【００４１】
（括れ部）
括れ部６は、スクイズボトル１を用いた上記商品形態の状態となっているときに、この部分を胴部径方向に指先で挟み込んで、収容物を少量ずつ注出するために、繰り返しの押し潰しを行なう部分である。
【００４２】
そして、括れ部６は、胴部４において胴部径を最小にした最深壁部８と、この最深壁部８からボトル上方に向けて胴部径を徐々に拡径して、肩部３の下端に位置する第一の円環形状壁部９に連続する上拡径壁部１０と、前記最深壁部８からボトル下方に向けて胴部径を徐々に拡径して、上記下胴部７の上端に位置する第二の円環形状壁部１１に達するように連続している下拡径壁部１２とからなるものである。
【００４３】
（突条）
括れ部６は、この括れ部６での胴部壁１３を胴部径方向の外方に向けて突出させた偶数個の突条１４を有しており、図３に示されているように第一の例であるスクイズボトル１では、胴部周りに等間隔にした六箇所に配置されている。
【００４４】
図１と図２に示されているように前記突条１４それぞれは、上拡径壁部１０と下拡径壁部１２との間に亘って縦リブの形状にしていて、胴部壁１３を外方に向けて突出させてなるものであることから、この突条１４それぞれは上拡径壁部１０と最深壁部８と下拡径壁部１２と一体に形成されているものである。
【００４５】
（突条の基本的な機能）
突条１４の基本的な機能は、上述したようにこの突条１４が上拡径壁部１０と下拡径壁部１２との間に亘って縦リブの形状にされているので、このスクイズボトル１を用いた商品形態での収容物が冷えてボトル内圧が減圧されたときにも、括れ部６においての上拡径壁部１０から最深壁部８を経て下拡径壁部１２までに亘る胴部壁１３の括れ形状が保たれるように補強するものである。
【００４６】
そのため、ボトル内圧が大気圧に対して負圧状態になっても、括れ部６の胴部壁１３がボトル内方に向けて大きく入り込むような撓み変形の発生が抑えられる。勿論、突条１４自体も、前記負圧状態になってもボトル内方に向けて大きく撓み変形することがないものである。
【００４７】
（突条による折り出しの切っ掛け）
また一方、突条１４それぞれは、括れ部６の胴部壁１３を外方に向けて凸となるように突出させて縦リブの形状にしたものであることから、括れ部６に外部から押し潰しの力が加わって前記押し潰しの力の入力方向と直交する方向に突条１４があるときには、この突条１４の稜線部１５を通る位置の胴部壁１３に折れを生じ易くしている。
【００４８】
そして、この稜線部１５の位置での胴部壁１３の折れを切っ掛けとして、この胴部壁１３の折れを伴ないながら突条１４が胴部径方向（押し潰しの力の入力方向と直交する方向）の外方に向けて折り出るように折曲可能とされている。
【００４９】
（指当て凹部）
括れ部６において胴部周り方向で隣り合う突条１４の間には指当て凹部１６が形成されている。突条１４が上述したように胴部周り方向に等間隔にして六箇所に配置されていて、括れ部６を胴部周り方向で前記突条１４にて区切る状態で指当て凹部１６が形成されていることから、この指当て凹部１６も胴部周り方向に等間隔にして六箇所に位置し、何れの指当て凹部１６も同一形状のものである。
【００５０】
指当て凹部１６それぞれは、隣り合う突条１４の間での上拡径壁部１０と最深壁部８と下拡径壁部１２とから形成されていて、この三つの壁部１０、８、１２の胴部壁１３が連続したものであり、またこれらの胴部壁１３が胴部周り方向で前記突条１４の胴部壁１３にも連続してなるものである。そして、上述したように負圧状態となっている場合でも突条１４によって補強されて、ボトル内方に入り込むような撓み変形が前記負圧状態時に生じないようにしている。
【００５１】
（指当て凹部の配置）
指当て凹部１６は括れ部６での胴部周り方向に突条１４と交互にして配置されていて、上述したように胴部周り方向で等間隔にして六箇所に配置されているので、一つの指当て凹部１６に対して、他の内の一つの指当て凹部１６がボトル中心ａを間にして胴部径方向で対向して配置されている。そして、前記一つの指当て凹部１６と前記他の内の一つの指当て凹部１６が対向している胴部径方向に直交する方向の線上（胴部径方向）に二つの突条１４が位置する配置とされている。（図３参照）
【００５２】
このように括れ部６では、ボトル中心ａを間にして胴部径方向に対向する二つの指当て凹部１６（上記一つの指当て凹部１６と他の内の一つの指当て凹部１６）からなる組が三組にして形成され、この組それぞれにおいて、対の指当て凹部１６の対向方向に直交する方向に二つの突条１４が位置している。
【００５３】
（下胴部、減圧吸収変形用パネル部）
実施の形態であるこのスクイズボトル１の下胴部７には、この下胴部７の胴部壁１３を略方形にしてボトル内方に向けて凹陥し、凹陥された部分の胴部壁１３をボトル内外方向に撓み変形可能にした減圧吸収変形用パネル部１７が設けられている。前記減圧吸収変形用パネル部１７は、胴部周り方向に等間隔にして六箇所にして配置されている。
【００５４】
（下胴部、柱形状部）
また、胴部周り方向で隣り合う減圧吸収変形用パネル部１７同士が胴部周り方向に離間していて、この隣り合う減圧吸収変形用パネル部１７の間に、下胴部７の胴部壁１３からなる縦長の柱形状部１８が形成されている。この柱形状部１８は減圧吸収変形用パネル部１７に隣接するものであるので、下胴部７の胴部周り方向で等間隔にして六箇所に配置されているものとなる。
【００５５】
そして、柱形状部１８の上端は上記第二の円環形状壁部１１に連続しているとともに、柱形状部１８の下端が、下胴部７の最下端の部分にして底部５との間に介在する第三の円環形状壁部１９に連続しており、下胴部７の胴部壁１３が全体的にボトル内方に向けて入り込むような座屈が生じないように補強している。
【００５６】
さらに、図２に示されているように柱形状部１８と上記突条１４とがボトル上下方向で位置揃えされており、前記突条１４とこの柱形状部１８とが縦方向で並んでいることにより、スクイズボトル１の強度をより高めるように図られている。
【００５７】
（底部）
本スクイズボトル１の底部５は、この底部５の中央部分がボトル上方に向けて凸となる形状にした補強用の凹部２０を有しており、収容物を高温度で充填してから口部２をキャップで封じた際にボトル内圧が上昇し、そのボトル内圧で底部５がボトル外方に突出した形状変形を生じないように図られている。
【００５８】
（括れ部に対する押し潰し）
本スクイズボトル１では、このスクイズボトル１に収容物を充填し、口部にノズル付きキャップを取り付けることで、キャップのノズルから収容物を少量ずつにして注出できる容器が得られる。そして、前記容器では、収容物を少量ずつ注出する際には、スクイズボトル１の括れ部６を例えば片手で挟み持つようにしながら容器全体を持ち上げて、さらにキャップ側が下方となるように容器全体を傾けながら、括れ部６を繰り返して押し潰す操作をするものとなる。
【００５９】
このようにスクイズボトル１は、括れ部６を、ボトルを持ち上げて取り扱う際の手掛かりの部分とするばかりでなく、指で挟み持って押し潰すことができるようにしている。繰り返しの押し潰しの力を加えることで括れ部６が変形できるようにするため、括れ部６には上記突条１４が胴部周り方向に等間隔にして六箇所に配置されている。
【００６０】
そして、上述したように、ボトル中心ａを間にして胴部径方向に対向する二つの指当て凹部１６からなる組が三組にして形成され、この組それぞれにおいて、対の指当て凹部１６の対向方向に直交する方向に二つの突条１４が位置している。
【００６１】
上記括れ部６において、ボトル中心ａを間にして対向する三組の指当て凹部１６の内、何れか一つの組の指当て凹部１６それぞれに指先を当てて挟み込み、その指当て凹部１６それぞれをボトル中心ａに向けて押し潰すように外力を加えると、図４で示されているように括れ部６では、前記外力が加えられる対の指当て凹部１６の対向方向に直交する方向に位置する二つの突条１４それぞれが、該突条１４の対向方向に沿う直線上にして胴部径方向の外方に向けて折り出される変形をすることとなる。
【００６２】
また、突条１４の部分での前記折り出しの変形に伴なって、折り出される一方の突条１４ともう一方の突条１４との間の胴部周りに位置してこの一組の突条１４を通る位置の胴部径方向に沿う直線を間にして対向する胴部壁１３それぞれが、前記直線を間にして互いに近接する変形をする。
【００６３】
上記括れ部６の変形を、最深壁部８の平面形状を断面で示す図４に基づいて説明する。図４において、六箇所配置の突条１４を右上のものから時計周り方向に１４ａ、〜、１４ｆとし、六箇所配置の指当て凹部１６を右上のものから時計周り方向に１６ａ、〜、１６ｆとする。
【００６４】
ボトル中心ａを間にして対向する突条１４の三組としては、突条１４ａと突条１４ｄ、突条１４ｂと突条１４ｅ、突条１４ｃと突条１４ｆである。
また、前記ボトル中心ａを間にして対向する対の突条１４を通る位置の胴部径方向に対して直交する方向に対向する指当て凹部１６については、指当て凹部１６ａと指当て凹部１６ｄ、指当て凹部１６ｂと指当て凹部1１６ｅ、指当て凹部１６ｃと指当て凹部1１６ｆの三組がある。
【００６５】
（突条位置での折り出しの変形）
仮に、括れ部６の指当て凹部１６ｃと指当て凹部１６ｆに指先を当てて、この指当て凹部１６ｃ、１６ｄそれぞれをボトル中心ａに向けて押し潰すように外力を加えると、即ち、胴部径方向の一つとして図４の符号Ａで示す直線に沿った方向で押し潰しの外力が加わえられると、直線Ａの外力入力方向に直交する方向に対向する二つの突条１４ｂと突条１４ｅとのそれぞれは、この突条１４ｂと突条１４ｅとを通る位置の胴部径方向に沿う直線Ｂ上に沿いながらこの胴部径方向の外方に向けて折り出される変形をする。
【００６６】
（相対する胴部壁が近接する変形）
また、折り出される突条１４ｂともう一方の突条１４ｅとの間の胴部周りに位置する胴部壁１３それぞれは、上記直線Ｂの位置を間にして対向する対となっている。この対として対向する胴部壁１３は、指当て凹部１６ｂと突条１４ｃと指当て凹部１６ｃと突条１４ｄと指当て凹部１６ｄとが連続している胴部壁１３Ｘと、指当て凹部１６ｅと突条１４ｆと指当て凹部１６ｆと突条１４ａと指当て凹部１６ａとが連続している胴部壁１３Ｙである。そして、図上、時計周り方向で突条１４ｂから突条１４ｅに亘る前記胴部壁１３Ｘと、突条１４ｅから突条１４ｂに亘る上記胴部壁１３Ｙとが、前記直線Ｂの位置を間にして互いに近接する変形をする。
【００６７】
（胴部壁１３Ｘの変形）
上記指先を掛けて押し潰しの力を加える一方の指当て凹部１６ｃには両側に突条１４ｃと突条１４ｄとが位置して連続しており、突条１４ｃと突条１４ｄとが、この突条１４ｃ、１４ｄの間の前記指当て凹部１６ｃを補強して、この指当て凹部１６ｃの胴部壁１３がボトル内方に向けて大きく折れ込む変形（第一の円環形状壁部と第二の円環形状壁部とが極端に近付くような撓みや折れ込みの変形）を生じさせない。
【００６８】
胴部壁１３Ｘでの前記突条１４ｂと突条１４ｃとの間の指当て凹部１６ｂの胴部壁１３も、突条１４ｂと突条１４ｃとによって補強されて、ボトル内方に向けて大きく折れ込む変形が生じない。また、突条１４ｄと突条１４ｅとの間の指当て凹部１６ｄの胴部壁１３も、突条１４ｄと突条１４ｅとによって補強され、ボトル内方に向けて大きく折れ込む変形が生じない。
【００６９】
そのため、押し潰しの力が一方の指当て凹部１６ｃに加えられると、突条１４ａと突条１４ｄとが胴部周り方向で少々開きながら、指当て凹部１６ｂと指当て凹部１６ｃと指当て凹部１６ｄとが上記直線Ｂ側へ移動するように変形する。
【００７０】
（胴部壁１３Ｙの変形）
また、押し潰しの力を加えるもう一つの指当て凹部１６ｄにもその両側に突条１４ｆと突条１４ａが位置して連続しおり、突条１４ｆと突条１４ａとが、この突条１４ｆと突条１４ａとの間の前記指当て凹部１６ｆを補強している。そして、指当て凹部１６ｆの胴部壁１３がボトル内方に向けて大きく折れ込む変形を生じさせない。
【００７１】
胴部壁１３Ｙでの突条１４ｅと突条１４ｆとの間の指当て凹部１６ｅの胴部壁１３も、突条１４ｅと突条１４ｆとによって補強されて、ボトル内方に向けて大きく折れ込む変形が生じない。また、突条１４ａと突条１４ｂとの間の指当て凹部１６ａの胴部壁１３も、突条１４ａと突条１４ｂとによって補強され、ボトル内方に向けて大きく折れ込む変形が生じない。
【００７２】
そのため、胴部壁１３Ｙ側においても、押し潰しの力が指当て凹部１６ｆに加えられると、突条１４ｆと突条１４ａとによる胴部周り方向での少量の開きを伴ないながら、指当て凹部１６ｅと指当て凹部１６ｆと指当て凹部１６ａとが直線Ｂ側へ移動するように変形する。
【００７３】
このように指当て凹部１６ｃ、１６ｄそれぞれをボトル中心に向けて押し潰すように外力を加えると、直線Ａの外力入力方向に直交する方向に対向する二つの突条１４ｂと突条１４ｅとのそれぞれが、突条１４ｂと突条１４ｅとを通る位置の胴部径方向に沿う直線Ｂ上に沿いながら胴部径方向の外方に向けて折り出される変形をし、折り出される突条１４ｂと突条１４ｅとの間の胴部周りに位置する胴部壁１３Ｘと胴部壁１３Ｙそれぞれが、互いに近接するように直線Ａ方向に沿って移動する変形をする。
【００７４】
二つの突条１４ｂと突条１４ｅとが折れ出される上記変形と、この二つの突条１４ｂと突条１４ｅとの間に亘る胴部周り方向の二つの胴部壁１３Ｘと胴部壁１３Ｙとが互いに近接するように移動する上記変形とは、折り出る突条１４ｂ、１４ｅの稜線部１５の胴部壁１３に復元力を発生されるとともに、前記胴部壁１３Ｘ、１３Ｙでの突条１４ｃ、１４ｄ、１４ｆ、１４ａの抗力を発生させるものである。
【００７５】
そして、上記突条１４ａ、〜、１４ｆは縦リブの形状にして手操作では上下方向に潰れることのない強度を有するものであり、二つの指当て凹部１６ｃと指当て凹部１６ｆとを指で挟むように括れ部６を押し潰す操作の途中で、上記突条１４ｃ、１４ｄ、１４ｆ、１４ａの抗力が増し、よって手操作による押し潰しの限度を指先で感じることが容易になる。
【００７６】
括れ部６を挟み持つ指先に押し潰しの限度を感じられたときには、押し潰しの力を抜くことで、括れ部６は変形前の形状に自動的に復元する。そして、括れ部６が元の形状に復元した後、或いは復元する手前の段階で、再度押し潰しの力を上記二つの指当て凹部１６ｃと指当て凹部１６ｆに加えることで、括れ部６を上述のように潰れた状態に変化させることができる。
【００７７】
本スクイズボトル１に収容物を充填してノズル付きキャップを取り付けることで口部を封じた商品形態の容器では、収容物を少量ずつ注出する場合、キャップを開き、括れ部６に手を掛けた状態でスクイズボトル１の口部側が下となるように全体を傾け、括れ部６の上記胴部径方向に対向する二つの指当て凹部１６に掛かる指先で胴部径方向に押し潰す操作を繰り返すようにすればよく、収容物を少量ずつ注出することが簡単に行なえる。
【００７８】
図３、図４に基づいて括れ部６の押し潰しによる変形を説明したが、本スクイズボトル１の括れ部６を、繰り返しのスクイズ操作をするために指先で押し込む箇所が上記指当て凹部１６ｃと指当て凹部１６ｆに限定されるものではない。折り出される二つの突条１４の位置を通る胴部径方向に直交する方向で対向する箇所であればよく、図３、図４で示す例にあっては、指当て凹部１６ｂと指当て凹部１６ｅとの組、指当て凹部１６ａと指当て凹部１６ｄとの組とすることも可能である。
【００７９】
（第二の例−突条八箇所）
上記スクイズボトル１では、第一の例として、括れ部６に、その胴部周り方向に等間隔にして六箇所に縦リブの形状の突条１４が配置されているものとして説明したが、本発明は、括れ部６に胴部周り方向の六箇所に突条１４を設けることに限定されるものではない。
【００８０】
図５においては、突条１４の配置箇所数を八箇所とした第二の例を示しているもので、上記例での括れ部６の最深壁部８の平断面位置と同じ位置を断面で示している。この第二の例のスクイズボトル１は、括れ部６の胴部周り方向に等間隔にして八箇所に突条１４を配置するとともに、隣り合う突条１４の間全てに指当て凹部１６を形成しており、八箇所の指当て凹部１６が胴部周り方向に等間隔にして配置されている。
【００８１】
そして、第二の例においては、ボトル中心ａを間にして対向する一組の突条１４を通る位置の胴部径方向に対して直交する方向であって、かつボトル中心ａを間にして対向する部分には、二つの突条１４が配置されている。即ち、第一の例においては、突条１４が胴部周り方向で角度６０度ごとの位置に配置され、指当て凹部１６も角度６０度ごとの位置に配置されるが、第二の例では、突条１４が胴回り方向で角度４５度ごとの位置に配置されているため、括れ部６を押し潰すときに指先を当てる箇所にも、突条１４が対応するものとなる。
【００８２】
このように第二の例では、胴部径方向に対向する一組の突条１４それぞれの位置がその胴部径方向の外方に折り出されるようにする際、前記一組の突条１４の対向方向と直交方向に押し潰す力を加える部分がそれぞれ突条１４が位置している部分となるため、括れ部６を押し潰す際に加える力は、第一の例に比べて多少多く必要となる可能性がある。
【００８３】
しかし、対向する一組の突条１４がボトル外方に折り出るように括れ部６の押し潰しを行なえば、上述した第一の例と同じように、その突条１４（折り出し位置の突条）それぞれが、胴部径方向の外方に移動する変形と、この折り出しされる一つの突条１４の位置からもう一つの突条１４の位置までに胴部周り方向にして亘る対の胴部壁１３それぞれが、互いに近付くように移動する変形とが行なわれる。
【００８４】
そして、一つの突条１４の位置からもう一つの突条１４の位置までに亘る胴部壁１３の部分に位置する突条１４（折り出し位置以外の突条）が、胴部周り方向に少量で開く変形をしながら、指当て凹部１６のボトル内方に向けての撓み込みを抑えるので、一つの突条１４の位置からもう一つの突条１４の位置までに亘る胴部壁１３それぞれの移動による変形が限度に近付くときに、押し潰しをする指先に伝わる抗力が増し、これによって、第一の例と同じように、押し潰しの力を抜くタイミングが分かり易くなり、押し潰しを繰り返す操作を繰り返しさせ易いものである。
【００８５】
（第三の例−突条十箇所）
図６には、突条１４の配置箇所数を十箇所とした第三の例を示している。この第三の例のスクイズボトル１は、括れ部６の胴部周り方向に等間隔にして十箇所に突条１４を配置するとともに、隣り合う突条１４の間全てに指当て凹部１６を形成しており、十箇所の指当て凹部１６が胴部周り方向に等間隔にして配置されている。
【００８６】
第三の例は、第一の例と同じように、ボトル中心ａを間にして対向する一組の突条１４を通る位置の胴部径方向に対して直交する方向であって、かつボトル中心ａを間にして対向する部分に、二つの指当て凹部１６が配置されている。
【００８７】
この第三の例においても、対向する一組の突条１４がボトル外方に折り出るように括れ部６の押し潰しを行なえば、上述した第一の例と同じように、前記折り出し位置の突条１４それぞれが、胴部径方向の外方に移動する変形と、この折り出しされる一つの突条１４の位置からもう一つの突条１４の位置までに胴部周り方向にして亘る対の胴部壁１３それぞれが、互いに近付くように移動する変形とが行なわれる。
【００８８】
そして、第一の例や第二の例と同じように、一つの突条１４の位置からもう一つの突条１４の位置までに亘る胴部壁１３それぞれの移動による変形が限度に近付くときに、押し潰しをする指先に伝わる抗力が増し、これによって、押し潰しの力を抜くタイミングが分かり易くなり、押し潰しを繰り返す操作を繰り返しさせ易いものである。
【００８９】
（第四の例）
上記実施の例の括れ部６は、上拡径壁部１０のボトル上下方向での断面の形状が、ボトル内方に向けて凸となるようにしてこの上拡径壁部１０の外面が凹曲面を呈するように形成され、下拡径壁部１２のボトル上下方向での断面の形状が、ボトル内方に向けて凸となるようにして下拡径壁部１２の外面が凹曲面を呈するように形成されている。そして、突条１４についても、稜線部１５のボトル上下方向での断面の形状がボトル内方に向けて凸となるように湾曲した形状に形成されている。
【００９０】
このように上記実施の例の括れ部６では、上拡径壁部１０と下拡径壁部１２との外面をボトル内方に向けて凸となる凹曲面にするとともに、突条１４の稜線部１５のボトル上下方向の断面の形状もボトル内方に向けて凸となる湾曲した形状にしているが、括れ部６において上拡径壁部１０と下拡径壁部１２との外面の形状は上記実施の例に限定されず、突条１４の稜線部１５の縦断面の形状も上記実施の例に限定されない。
【００９１】
図７と図８は、上拡径壁部１０と下拡径壁部１２との外面の形状が上記の例と異なり、突条１４の稜線部１５の縦断面での形状も上記の例と異なっている第四の例が示されている。なお、この第四の例での突条１４と指当て凹部１６との胴部周りの配置は上記第一の例と同様であって、括れ部６を押し潰すときに、二つの突条１４の部分が胴部径方向へ折れ出るとともに、前記二つの突条１４の胴部周り方向に亘る胴部壁１３が互いに近付く変形を行なう変形についても同様である。
【００９２】
第四の例の括れ部６では、上拡径壁部１０が、上記第一の円環形状壁部９の下縁位置から最深壁部８の上縁位置までに亘って略テーパー状にして先細りする外面形状を呈するように設けられている。また、下拡径壁部１２にあっては、前記最深壁部８の下縁位置から上記第二の円環形状壁部１１の上縁位置までに亘っての外面が、ボトル外方に向けて凸となる凸曲面を呈するように形成されている。
【００９３】
さらにこの第四の例での括れ部６において、突条１４は上記上拡径壁部１０から下拡径壁部１２との間に縦リブの形状とされているが、上記実施の例と異なって上拡径壁部１０から下拡径壁部１２に亘って直線的な柱状に形成されている。そして、この突条１４の稜線部１５の部分の胴部壁１３は、胴部周り方向にある程度の幅を有しており、平断面の形状として尖頭状にせずとも、平頭状に胴部壁１３を胴部径方向の外方に突出した形状とすることができるものである。
【００９４】
（突条の突出量）
上述のように括れ部６の胴部周り方向に配置されている上記突条１４それぞれがボトル外方に向けて突出していて、最深壁部８の外面から突出している突出量は、ボトル上下方向の同じ高さ位置でそれぞれ同一とされており、ボトル中心ａから突条１４の稜線部１５までの長さがいずれも同一とされている。このように胴部周りに配置された複数の突条１４について最深壁部８からの突出量が同じであり、前記複数の突条１４についてボトル中心ａから稜線部１５までの長さが同じである点は、上記各実施の例で同様である。
【００９５】
また、括れ部６での上記最深壁部８の高さ位置において、ボトル中心ａから突条１４の稜線部１５までの寸法に対し、ボトル中心から最深壁部８までの寸法の割合は、約９０％であることが好ましい。
【００９６】
（第一の例のスクイズボトルの各寸法）
例えば上記第一の例で示された構成のスクイズボトル１を、収容物の充填量を１０００ミリリットルとする耐熱ボトルであって、重量（成形樹脂量）を３７ｇとし、成形素材をＰＥＴとする。
そして、
・ボトル高さ寸法Ｈ１を、２３１．０ｍｍ、
・ボトル最大径（胴部径）である第一、第二、第三の円環形状壁部９、１１、１９の外径寸法φ１、φ２、φ３を、８６．５ｍｍ、
・ボトル上端（口部上端）から括れ部６の上縁高さ位置までの長さ寸法Ｌ１を、５９．０ｍｍ、
・前記括れ部６の上縁高さ位置から括れ部６の下縁高さ位置までの長さ寸法Ｌ２を、５６．４ｍｍ、
・前記括れ部６の下縁高さ位置から、第二の円環形状壁部１１と下胴部７と第三の円環形状壁部１９を経て、ボトル下端（底部５の位置）までの長さ寸法Ｌ３を、１１５．６ｍｍ、
とする。
【００９７】
この第一の例の形態のスクイズボトル１において、スクイズボトル１の括れ部６を、片手で掴み易くするために、
・最深壁部８の外径寸法φ４を、６７．０ｍｍ
とする。そして、
・胴部径方向に対向する一方の突条１４の稜線部１５（稜線部１５の最深部分）から他方の突条１４の稜線部１５（稜線部１５の最深部分）までの長さ寸法φ５を、７３．０ｍｍ
とする。（稜線部１５は同一ボトル高さ位置において円周上に配置）（図３参照）
【００９８】
上記ボトル高さ、括れ部６の上記長さ寸法、括れ部６の最深壁部８の上記外径寸法にてスクイズボトル１を成形するに際し、胴部径方向に対向する上記一方の突条１４の稜線部１５の位置からもう一方の突条１４の稜線部１５の位置までの外径寸法φ５を上記の７３．０ｍｍとし、この前記対の稜線部１５の間の寸法に対する最深壁部８の外径寸法φ４の割合を約９０％とすることにより、括れ部６を押し潰す操作の繰り返しが、後述するように行なえるものとなる。
【００９９】
（第四の例のスクイズボトルの各寸法）
また、第四の例のスクイズボトル１として、収容物の充填量を３３０ミリリットルとするボトルであって、重量（成形樹脂量）を２３ｇとし、成形素材をＰＥＴとする。そして、この第四の例のスクイズボトル１の形状では、
・ボトル高さ寸法Ｈ１を、１７１．０ｍｍ、
・肩部３下端に連続する第一の円環形状壁部９の外径寸法φ１を、５９．０ｍｍ、
・括れ部６の下の第二の円環形状壁部１１の外径寸法φ２を、５１．０ｍｍ、
・第三の円環形状壁部１９の外径寸法φ３を、６３．６ｍｍ、
・ボトル上端（口部上端）から括れ部６の上縁高さ位置までの長さ寸法Ｌ１を、４５．０ｍｍ、
・括れ部６の上縁高さ位置から括れ部６の下縁高さ位置までの長さ寸法Ｌ２を、２３．０ｍｍ、
・括れ部６の下縁高さ位置から、第二の円環形状壁部１１と下胴部７と第三の円環形状壁部１９を経て、ボトル下端（底部５の位置）までの長さ寸法Ｌ３を、１０３．０ｍｍ、
とする。
【０１００】
第四の例での形態のスクイズボトル１において、このスクイズボトル１の括れ部６を、片手で掴み易くするために、
・最深壁部８の外径寸法φ４を、４４．６ｍｍ
とする。そして、
・胴部径方向に対向する一方の突条１４の稜線部１５から他方の突条１４の稜線部１５までの長さ寸法φ５を、４８．９２ｍｍ（稜線部１５は同一ボトル高さ位置において円周上に配置）、
・突条１４それぞれの稜線部１５の平頭部分の幅寸法（胴部周り方向の幅）Ｄ１を５．４７ｍｍ
とする。（図８参照）
【０１０１】
この第四の例における上記寸法のスクイズボトル１では、上述したように胴部径方向に対向する一方の突条１４の稜線部１５の位置からもう一方の突条１４の稜線部１５の位置までの長さ寸法φ５を上述のように４８．９２ｍｍとし、この対の稜線部１５の間の長さ寸法φ５に対する最深壁部８の外径寸法φ４（上記４４．６ｍｍ）の割合が、約９０％とされており、括れ部６を押し潰す操作の繰り返しが、後述するように行なえるものとなる。
【０１０２】
（図９、グラフ−１０００ｍｌのスクイズボトルの押し潰し圧力と注出量の関係）
図９はスクイズボトル（収容物充填量１０００ミリリットル）の収容物注出時の押し潰し圧力（ニュートン、Ｎ）に対する注出量（ｍｌ）の関係を示している。所定の注出量を得る上で括れ部の肉厚が厚くなると押し込み荷重（押し潰し圧力）は比例して高くなるために適切に設定しなければならない。
【０１０３】
図９のグラフ２２は、スクイズボトルの括れ部の肉厚分布が０．３０〜０．４０ｍｍの実施例であり、２０〜３０Ｎの荷重で２０〜４０ミリリットルの収容物が注出できることが示されている。また、図９のグラフ２１は、括れ部の肉厚分布が０．４０〜０．６０ｍｍの実施例であるが、このスクイズボトルの場合、同量の収容物を注出するためには４０〜５０Ｎの荷重が必要になることが示されている。
【０１０４】
（図１０、３３０ｍｌのグラフ−スクイズボトルの押し潰し圧力と注出量の関係）
図１０はスクイズボトル（収容物充填量３３０ミリリットル）の収容物注出時の押し潰し圧力（Ｎ）に対する注出量（ｍｌ）の関係を示している。収容物充填量が３３０ミリリットルのスクイズボトルも、上述したように所定の注出量を得る上で括れ部の肉厚が厚くなると押し込み荷重は比例して高くなるために適切に設定しなければならない。
【０１０５】
図１０のグラフ２４は、スクイズボトルの括れ部の肉厚分布が０．２５〜０．３０ｍｍの実施例であり、２０Ｎの荷重で約１５ｍｌの収容物を注出できることが示されている。また、図１０のグラフ２３は、括れ部の肉厚分布が０．５０〜０．６０ｍｍと厚くなっている実施例であり、括れ部が０．５０〜０．６０ｍｍと厚くなっているために、１０ｍｌの収容物を注出するためには６０Ｎ以上の荷重が必要であることが示されている。
【０１０６】
上記グラフから明らかなようにこれらスクイズボトルは成形時の肉厚分布に応じて押し潰しの荷重が変化するために、適正に肉厚分布を設定することが必要である。また、加える荷重に応じて収容物の注出量を変化させることができ、荷重が大きい場合でも繰り返しの押し潰し操作で少量ずつ収容物を注出する容器として用いることができる。
【０１０７】
（突条の個数）
本発明において、突条１４は偶数箇所に配置されるものとしており、実施の例として六箇所、八箇所、十箇所に配置した例を上述した。そして、突条１４を偶数箇所としていることから、二つの突条１４が胴部径方向に折り出るようにした括れ部６としては、突条１４を胴部周り方向に等間隔にして二箇所や四箇所に配置する場合も想定されるが、最深壁部８の外径寸法によっては、隣り合う突条１４の胴部周り方向での距離が長くなって、その隣り合う突条１４の間の胴部壁に指先を当ててしまう可能性があるので、前記最深壁部８の外径寸法に応じて、突条１４の配置個数を考慮する必要はある。
【０１０８】
また、二つの突条１４が折り出るようにしながら胴部径方向に対向する二つの指当て凹部１６に指先を当てる例として、突条１４が六箇所に配置されている場合（第一の例）や十箇所に配置されている場合（第三の例）などが挙げられる。しかし、最深壁部８の外径寸法にもよるが、突条１４の配置数が第三の例の十箇所としても指当て凹部１６を適正に確保することができない場合もある。よって、この場合も最深壁部８の外径寸法に応じて、突条１４の配置個数を考慮する必要はある。
【０１０９】
（ラベルの他例）
上記実施の例において下胴部７に取り付けるラベルとして、胴巻きするシュリンクフィルムを挙げたが、ラベルはシュリンクフィルムに限定されるものではなく、例えば紙材からなるものであってもよい。
【０１１０】
（底部の凹部の他の構成）
上述した各例のスクイズボトル１においてその底部５には上記凹部２０が補強用として設けられているものであって、上述したように加熱充填してから口部２を封じた際にボトル内圧が上昇した際にそのボトル内圧で底部５がボトル外方に突出した形状変形を生じないようにしているものである。
【０１１１】
また、底部５に配置する凹部２０としては、上記減圧吸収変形用パネル部１７と同じ機能を持たせる構成とすることも可能である。即ち、底部５を、収容物が冷却したときに凹陥変形してボトル内の減圧を軽減する凹部２０が配置されているものとしてもよいものである。このようにすることで、容器に充填されている収容物が冷えて、ボトルの内圧が減圧されて大気圧に対して負圧状態となっても、ボトル内に向けて凸となる形状とされている凹部２０がさらに凹陥変形してボトル内が過度な負圧状態にならないようにするとともに、底部外周側の接地箇所に変形を生じさせないようにして、正置状態を常時確保できるものとなる。
【０１１２】
そして、上述した各実施の例で示されているようにスクイズボトル１の下胴部７に減圧吸収変形用パネル部１７が配置されているものにあっては、減圧吸収変形用パネル部１７と凹部２０とがともに凹陥変形することで協同して収容物の冷却によるボトル内の減圧を軽減し、過度の負圧状態にならない構成とすることが一層容易になる。
【０１１３】
またさらに、上記凹部２０の凹陥変形の動きの一つとして、その凹部２０の一部、例えば凹部天面部をボトル上方に反転凹入させるようにして、この凹部２０の凹陥変形にて、ボトル上方に向けて凸のドーム状に形状維持可能な反転凹入部分が形成されるものとしてもよい。このようにすることで、スクイズボトル１を用いた容器の初期開封時に収容物の液面が下がるのを抑えることができるようになる。
【０１１４】
（非耐熱ボトルについて）
上記各実施の例では、収容物を加熱充填するときに収縮が生じないようにヒートセット加工などを施して耐熱用とされたスクイズボトルを挙げたが、本発明は耐熱用とされたスクイズボトルに限定されるものではなく、非耐熱のスクイズボトルについても実施できるものである。
【符号の説明】
【０１１５】
１…スクイズボトル
４…胴部
６…括れ部
７…下胴部
８…最深壁部
９…第一の円環形状壁部
１０…上拡径壁部
１１…第二の円環形状壁部
１２…下拡径壁部
１３…胴部壁
１３Ｘ…括れ部図下側の胴部壁
１３Ｙ…括れ部図上側の胴部壁
１４、１４ａ、〜、１４ｆ…突条
１５…稜線部
１６、１６ａ、〜、１６ｆ…指当て凹部
１７…減圧吸収変形用パネル部
１８…柱形状部
１９…第三の円環形状壁部
２０…底部の凹部
２１…１０００ｍｌボトルの括れ部肉厚分布０．４０〜０．６０ｍｍの押し込み圧力と注出量の関係を示すグラフ
２２…１０００ｍｌボトルの括れ部肉厚分布０．３０〜０．４０ｍｍの押し込み圧力と注出量の関係を示すグラフ
２３…３３０ｍｌボトルの括れ部肉厚分布０．５０〜０．６０ｍｍの押し込み圧力と注出量の関係を示すグラフ
２４…３３０ｍｌボトルの括れ部肉厚分布０．２５〜０．３０ｍｍの押し込み圧力と注出量の関係を示すグラフ
Ｈ１…ボトル高さ寸法
φ１…第一の円環形状壁部の外径寸法
φ２…第二の円環形状壁部の外径寸法
φ３…第三の円環形状壁部の外径寸法
φ４…最深壁部の外径寸法
φ５…稜線部の対向間隔の長さ寸法
Ｌ１…口部から括れ部上端までの長さ寸法
Ｌ２…括れ部のボトル上下方向の長さ寸法
Ｌ３…括れ部下端から底部までの長さ寸法
Ｄ１…平頭部分の幅寸法
Ａ…括れ部の押し潰しをする胴部径方向の直線
Ｂ…突条の部分が折り出しされる胴部径方向の直線
ａ…ボトル中心
【図１】
2020142817.tif 000003
【図２】
2020142817.tif 000004
【図３】
2020142817.tif 000005
【図４】
2020142817.tif 000006
【図５】
2020142817.tif 000007
【図６】
2020142817.tif 000008
【図７】
2020142817.tif 000009
【図８】
2020142817.tif 000010
【図９】
2020142817.tif 000011
【図１０】
2020142817.tif 000012